(57)【特許請求の範囲】
【請求項１】
立設壁上部に平行に棒状の手摺りが設けられているフェンスに取り付けるアンテナ取付け装置において、
前記立設壁の前後に対向配置された一対の挟持板を有し、
一方の挟持板の背部にポールを立設すると共に、該ポールの立設部と前記一方の挟持板の間に他方の挟持板背部から前記立設壁の上方空間を跨いで延びたアーム体の先端を前後方向に移動可能に保持するアーム保持部を具備し、該アーム保持部のアーム体を前後移動させることで双方の挟持板間の距離を変更して前記立設壁を挟持操作するアンテナ取付け装置であって、
前記一方の挟持板の前記立設壁に当接する圧接面を、一辺が８０〜１４０ｍｍの略正方形とする一方、前記他方の挟持板の前記立設壁に当接する圧接面の左右方向の幅を２５〜６０ｍｍとし、かつ、前記立設壁と前記手摺りの間の隙間に挿通可能な幅とした、ことを特徴とするアンテナ取付け装置。
【請求項２】
前記他方の挟持板は、アーム体連結部を中心に上下対称位置に圧接面を有する、請求項１記載のアンテナ取付け装置。
【請求項３】
前記他方の挟持板は、上下方向に回動可能にアーム体に軸着されて成る、請求項２記載のアンテナ取付け装置。
【発明の詳細な説明】
【０００１】
【発明の属する技術分野】
本発明は、ベランダやバルコニー等のフェンス部にアンテナを取り付けるためのアンテナ取付け装置に関し、詳しくは一定の厚みから成る立設壁を有するフェンスに取り付けるアンテナ取付け装置に関する。
【０００２】
【従来の技術】
ベランダやバルコニー等に多く用いられているコンクリート製立設壁を有するフェンスを利用して例えばパラボラアンテナを設置しようとした場合、従来図５に示すようなアンテナ取付け装置を使用していた。これは、一定の厚みを有するコンクリート製立設壁を挟持してポールを固定し、そのポールにアンテナを装着するもので、壁部を挟持する前後一対の挟持板１５ａ，１５ｂ、双方の挟持板を連結する略コ字状に形成されたアーム体１６、アーム体１６を前後動させるアーム保持部１７、そしてアーム保持部１７に固着立設されたポール１８とから成り、アーム体１６の先端がアーム保持部１７に挿入されて、アーム保持部前面から後方に向けて挿入されたボルト１９が螺入され、ボルト１９の回転操作により前後動するよう形成されている。
【０００３】
そして、アーム保持部１７の後端には一方の挟持板１５ａが固着されると共に、アーム体１６の基部はその挟持板１５ａに対向配置されるよう他方の挟持板１５ｂが取り付けられ、ボルト１９を操作してアーム体１６を前後動させることで、アーム体１６の基部に設けた他方の挟持板１５ｂを前後動させ、挟持対象を挟持してポール１８を立設固定し、そのポール１８にアンテナを装着するようになっている。
【０００４】
【発明が解決しようとする課題】
ところが、立設壁上部に立設壁に平行に棒状の手摺りが設けられているフェンスの場合、手摺りが邪魔となり上記アンテナ取付け装置を取り付けるのは容易ではなかった。これは、コンクリート壁と手摺りの間の隙間は大きくても８ｃｍ程度であるにも拘わらず、双方の挟持板１５ａ，１５ｂは例えば１１ｃｍ角で形成されているため、アーム体を挿通することが出来ず、アーム体１６からアーム保持部１７を外してアーム体１６挿通後再度組み付ける等の分解組み付け作業をしなければならないためで、分解出来ない構成のものは取り付け出来なかった。
そこで、本発明はそのような問題点に鑑み、立設壁に手摺りが設けられたフェンスであっても、容易に然も安定した取り付ができるアンテナ取付け装置を提供することを課題とする。
【０００５】
【課題を解決するための手段】
上記課題を解決するため、請求項１の発明は、立設壁上部に平行に棒状の手摺りが設けられているフェンスに取り付けるアンテナ取付け装置において、前記立設壁の前後に対向配置された一対の挟持板を有し、一方の挟持板の背部にポールを立設すると共に、該ポールの立設部と前記一方の挟持板の間に他方の挟持板背部から前記立設壁の上方空間を跨いで延びたアーム体の先端を前後方向に移動可能に保持するアーム保持部を具備し、該アーム保持部のアーム体を前後移動させることで双方の挟持板間の距離を変更して前記立設壁を挟持操作するアンテナ取付け装置であって、前記一方の挟持板の前記立設壁に当接する圧接面を、一辺が８０〜１４０ｍｍの略正方形とする一方、前記他方の挟持板の前記立設壁に当接する圧接面の左右方向の幅を２５〜６０ｍｍとし、かつ、前記立設壁と前記手摺りの間の隙間に挿通可能な幅としたことを特徴とする。
【０００７】
請求項２の発明は、請求項１の発明において、他方の挟持板は、アーム体連結部を中心に上下対称位置に圧接面を有することを特徴とする。
また、請求項３の発明は、請求項２の発明において、他方の挟持板は、上下方向に回動可能にアーム体に軸着されて成ることを特徴とする。
【０００８】
【発明の実施の形態】
以下、本発明を具体化した実施の形態を、図面に基づいて詳細に説明する。図１は本発明の実施形態の一例を示すアンテナ取付け装置の斜視図であり、アンテナを装着するポール１は前側の一方の挟持板２ａの背部に略Ｕ字状に形成され上下方向に開口したアーム保持部３の端部に溶接され立設されている。また、後側の他方の挟持板２ｂの背部は略コ字状に先端を下方に向けて形成されたアーム体４の一端基部が連結され、アーム体４は双方の挟持板２ａ，２ｂの上方を跨いで他端の先端部がアーム保持部３に挿入されている。尚、アーム体４は金属板を断面コ字状に折り曲げて各辺を溶接接続して形成されているが、断面四角形の筒状フレームを使用することもできる。
【０００９】
アーム保持部３に挿入されたアーム体４の先端は、図２のアーム保持部縦断面説明図に示すようにアーム体４に固着されたナット６を介してアーム保持部３の前面から後方に向けて挿入されたボルト５に連結され、ボルト５の回転操作により前後動するよう形成されている。尚、図２に於いて、１４はフェンスを構成する立設壁を示している。
【００１０】
前側の挟持板２ａは、一辺が１１０ｍｍの正方形板体であり、全面にゴム板９ａが貼着され挟持対象に当接する圧接面となっている。また、後側の挟持板２ｂは、前側の挟持板２ａに対向するよう前面に向けて略コ字状に縦長に形成され、上下２ヶ所に圧接面７，７が設けられている。この圧接面７は、背部のアーム体４との固着部を中心に上下対称位置に形成され、ゴム板９ｂ，９ｂが貼着されている。そして、この圧接面７は一辺が３０ｍｍの正方形で形成され、双方の圧接面は５０ｍｍの距離を置いて形成されている。
【００１１】
このように、ポール１を取り付けた一方の挟持板２ａの圧接面を広く形成したので、挟持操作によりポール１を安定して立設させることができる。そして、他方の挟持板２ｂの幅は狭いので、コンクリート製立設壁の上に手摺が設けられているフェンスであっても、横向きにすれば挟持板２ｂと共にアーム体４を手摺りとコンクリート壁の間に挿通でき、手摺りがあっても分解することなく容易に取り付けることができる。
更に、後側の挟持板２ｂは上下に圧接面を有するので、幅が狭くても対向する前側の挟持板２ａとで安定した挟持作用を得ることができる。
【００１２】
尚、挟持板を含む各部材の寸法の最適値は取り付けるアンテナの大きさや種類によって異なり、上記する挟持板の寸法は３０〜６０ｃｍ径のパラボラアンテナを取り付ける場合に適した寸法の一例を示したもので、取り付けるアンテナの大きさや重量により寸法は変更される。
また、上記サイズのパラボラアンテナを取り付ける場合、前側の挟持板２ａの大きさは一辺が８０〜１４０ｍｍの範囲とするのが好適であり、他方の後側挟持板２ｂの幅は前側の挟持板の幅に対して４分の１〜２分の１の幅であれば、具体的には２５〜６０ｍｍの範囲であれば、手摺りと立設壁の間に挿通することが可能であるしポールを立設してアンテナを好適に保持できる。尚、図１において、ポールの長さＬ１は３００ｍｍであり、アーム体は一辺３０ｍｍの金属製角材から形成している。
【００１３】
図３は後側挟持板２ｂの他の例を示し、（ａ）はアーム体４と同一幅としてアーム体と一体形成し、挟持面を平坦に形成して上下２ヶ所にゴム板９ｃを貼着して圧接面７としている。（ｂ）は同様にアーム体４と同一幅で形成すると共に挟持面に曲率を持たせ、上下端部で主に圧接動作するように形成し、圧接面を曲面としている。
このように、後側挟持板はアーム体４と同一幅で形成すればアーム体と一体形成でき、部材を削減できる。また、離れた二ヶ所を中心に圧接作用をさせれば良好な挟持作用を得ることができ、圧接面を独立して複数ヶ所に設けなくても良い。
【００１４】
図４は後側挟持板の更に他の例を示し、１０は回動軸であり、後側挟持板２ｂは上下方向に回動可能にアーム体４に軸着されている。このように挟持板２ｂの角度を変更可能にすれば、挟持操作した際の応力でアーム体４の前後先端部同士が開角変形してもその変形を挟持板２ｂが対向する前側の挟持板２ａに平行に対峙するよう回動するので良好に挟持動作するし、挟持対象の壁面厚みが均一でなくても上下の圧接面７，７に作用する力を均等にできるので確実に挟持固定できる。
尚、上記実施の形態は何れも後側挟持板を縦長に形成しているが、前側の挟持板の４分の１〜２分の１の寸法の幅と略同一の縦寸法でアーム体連結部を有する中央部に一ヶ所だけ設けるだけでもフェンスを挟持してポールを立設することは可能である。
【００１５】
【発明の効果】
以上詳述したように、請求項１の発明によれば、ポールを取り付けた一方の挟持板の圧接面は広いため、挟持操作によりポールを安定して立設固定できる。
また、後側の他方の挟持板の幅は狭いので、挟持板を取り付けたままアーム体を手摺りと立設壁の間に容易に挿通でき、手摺りがあっても分解することなく容易に取付けできる。
【００１７】
請求項２の発明によれば、請求項１の効果に加えて、後側の挟持板は上下２ヶ所に圧接面を有するので、対向する前側の挟持板とで堅牢な挟持作用を得ることが出来る。また、請求項３の発明によれば、上下の圧接面に作用する力を均等にできるので、アーム体が変形しても、また挟持対象の壁面厚みが均一でなくても確実に挟持固定できる。
【図面の簡単な説明】
【図１】本発明の実施形態の一例を示すアンテナ取付け装置の斜視図である。
【図２】図１のアーム保持部の断面説明図である。
【図３】本発明の他の例を示す要部斜視図であり、（ａ）は後側挟持板をアーム体と同一幅で形成したもの、（ｂ）は挟持面を曲面としたものを示している。
【図４】本発明の更に他の例を示す要部斜視図である。
【図５】従来のアンテナ取付け装置の斜視図である。
【符号の説明】
１・・ポール、２ａ・・前側挟持板（一方の挟持板）、２ｂ・・後側挟持板（他方の挟持板）、３・・アーム保持部、４・・アーム体、５・・ボルト、６・・ナット、７・・圧接面、９ａ，９ｂ，９ｃ・・ゴム板、１０・・回動軸。
【図１】
0005065553.tif 000002
【図２】
0005065553.tif 000003
【図３】
0005065553.tif 000004
【図４】
0005065553.tif 000005
【図５】
0005065553.tif 000006